(57)【要約】【課題】使用者が扇風機の清掃時にガードの取り外しをすることが困難であることであったことを軽減することを目的とする。【解決手段】本発明は、スタンド部１と、スタンド部１の上部に設けたモータ部２と、モータ部２により回転する羽根部３と、羽根部３を覆うガードユニット４とを備え、ガードユニット４は、モータ部２の軸方向に対して垂直方向における一方側の第１のガード部５と、モータ部２の軸方向に対して垂直方向における他方側の第２のガード部６と、第１のガード部５と第２のガード部６とを開閉可能に支持し、第１のガード部５と第２のガード部６とをモータ部２に固定可能な連結固定部７とを有することを特徴としたものであり、固定箇所が減り、ガードユニット４の取付けや取外しをより簡易にすることができる。【選択図】図１
2020002855.tif 000002
【特許請求の範囲】
【請求項１】
スタンド部と、
前記スタンド部の上部に設けたモータ部と、
前記モータ部により回転する羽根部と、
前記羽根部を覆うガードユニットとを備え、
前記ガードユニットは、
前記モータ部の軸方向に対して垂直方向における一方側の第１のガード部と、
前記モータ部の軸方向に対して垂直方向における他方側の第２のガード部と、
前記第１のガードと前記第２のガードとを開閉可能に支持し、前記第１のガードと前記第２のガードとを前記モータ部に固定可能な連結固定部とを有することを特徴とする扇風機。
【請求項２】
前記連結固定部は、
前記第１のガード部と前記第２のガード部とを開閉自在に連結する連結部分と、
前記第１のガード部と前記第２のガード部とを前記モータ部に固定する固定部分とを有することを特徴とする請求項１に記載の扇風機。
【請求項３】
前記連結部分は、前記第１のガード部と前記第２のガード部の前面側に配置され、前記第１のガード部と前記第２のガード部との間にヒンジ機構を備えたことを特徴とする扇風機。
【請求項４】
前記固定部分は、
前記第１のガード部と前記第２のガード部との背面から延びた複数の引っ掛け突起と、
前記引っ掛け突起が引っ掛かるスリットを有し、前記モータ部に固定された係合部材とを有したことを特徴とする請求項２または３に記載の扇風機。
【請求項５】
前記羽根部は複数の羽根を有し、
前記ガードユニットにおける前面側から見ると、前記第１のガード部と前記第２のガード部との接触部分と、複数の前記羽根とは、同時に重ならないことを特徴とする請求項１から４のいずれかに記載の扇風機。
【発明の詳細な説明】
【技術分野】
【０００１】
本発明は、床置型や壁掛型の扇風機に関する。
【背景技術】
【０００２】
従来、この種の扇風機の構成は、以下のようになっていた。
【０００３】
すなわち、スタンド部と、前記スタンド部の上部に設けたモータ部と、前記モータ部により回転する羽根部と、前記羽根部を覆うガードユニットとを備えていた。ガードユニットは、前後で一対となっており、ガード周縁部を覆うガードリングと、ガードを留めるガードクリップとを備えた構成になっていた。
【先行技術文献】
【特許文献】
【０００４】
【特許文献１】実開昭５０−１９７５９号公報
【発明の概要】
【発明が解決しようとする課題】
【０００５】
上記従来例における課題は、使用者が扇風機の清掃時にガードの取付けや取外しをすることが困難であることであった。
【０００６】
すなわち、ガードの取付けを行う際は、まず後方ガードをガードナットでモータ部に固定し、次に前方ガードをガードリングなどで後方ガードに固定し、最後にガードクリップなどで前方ガードが後方ガードから外れないように固定することでガードの取付けが完了するが、取付箇所や操作手順が多く、操作が困難であった。
【０００７】
そこで、本発明は、ガードユニットの取り外し方法をより簡易にすることを目的とするものである。
【課題を解決するための手段】
【０００８】
そして、この目的を達成するために、本発明は、スタンド部と、前記スタンド部の上部に設けたモータ部と、前記モータ部により回転する羽根部と、前記羽根部を覆うガードユニットとを備え、前記ガードユニットは、前記モータ部の軸方向に対して垂直方向における一方側の第１のガード部と、前記モータ部の軸方向に対して垂直方向における他方側の第２のガード部と、前記第１のガードと前記第２のガードとを開閉可能に支持し、前記第１のガードと前記第２のガードとを前記モータ部に固定可能な連結固定部とを有することを特徴としたものであり、これにより所期の目的を達成するものである。
【発明の効果】
【０００９】
本発明によれば、スタンド部と、前記スタンド部の上部に設けたモータ部と、前記モータ部により回転する羽根部と、前記羽根部を覆うガードユニットとを備え、前記ガードユニットは、前記モータ部の軸方向に対して垂直方向における一方側の第１のガード部と、前記モータ部の軸方向に対して垂直方向における他方側の第２のガード部と、前記第１のガードと前記第２のガードとを開閉可能に支持し、前記第１のガードと前記第２のガードとを前記モータ部に固定可能な連結固定部とを有することを特徴としたものであり、固定箇所が２箇所から１箇所になり、取付けや取外しの手順が簡略になることで、ガードユニットの取付けや取外しをより簡易にすることができるものである。
【図面の簡単な説明】
【００１０】
【図１】本発明の実施の形態の扇風機の斜視図
【図２】同扇風機のガードユニットを示す斜視図
【図３】同扇風機のガードユニットを示す斜視図
【図４】同扇風機の連結部分を示す斜視図
【図５】同扇風機のガードユニットと連結部分を示す斜視図
【図６】同扇風機のガードユニットと固定部分を示す斜視図
【図７】同扇風機の係合部材を示す正面図
【発明を実施するための形態】
【００１１】
本発明の請求項１記載の扇風機は、スタンド部と、前記スタンド部の上部に設けたモータ部と、前記モータ部により回転する羽根部と、前記羽根部を覆うガードユニットとを備え、前記ガードユニットは、前記モータ部の軸方向に対して垂直方向における一方側の第１のガード部と、前記モータ部の軸方向に対して垂直方向における他方側の第２のガード部と、前記第１のガードと前記第２のガードとを開閉可能に支持し、前記第１のガードと前記第２のガードとを前記モータ部に固定可能な連結固定部を備えた構成を有する。
【００１２】
これにより、固定箇所が２箇所から１箇所になり、ガードユニットの取付けや取外しをより簡易にすることができるという効果を奏する。
【００１３】
また、前記連結固定部は、前記第１のガード部と前記第２のガード部とを開閉自在に連結する連結部分と、前記第１のガード部と前記第２のガード部とを前記モータ部に固定する固定部分とを有する構成としてもよい。
【００１４】
これにより、固定箇所が２箇所から１箇所になり、ガードユニットの取付けや取外しをより簡易にすることができるという効果を奏する。
【００１５】
また、前記連結部分は、前記第１のガード部と前記第２のガード部の前面側に配置され、前記第１のガード部と前記第２のガード部との間にヒンジ機構を備えた構成としてもよい。
【００１６】
これにより、ヒンジ支点としてガードを開閉自在にすることで、取り外しに荷重をかけることで係合と解除を行う構造ではなくなるため、ガードユニットの取り外し方法をより簡易にすることができるという効果を奏する。
【００１７】
また、前記固定部分は、前記第１のガード部と前記第２のガード部との背面から延びた複数の引っ掛け突起と、前記引っ掛け突起が引っ掛かるスリットを有し、前記モータ部に固定された係合部材とを有した構成としてもよい。
【００１８】
これにより、前記第１のガード部と前記第２のガード部との背面から延びた複数の引っ掛け突起によって、ガードナットなしでガードユニットをモータ部へ取り付けることが可能になり、ガードユニットの取り外し方法をより簡易にすることができるという効果を奏する。
【００１９】
また、前記羽根部は複数の羽根を有し、前記ガードユニットにおける前面側から見ると、前記第１のガード部と前記第２のガード部との接触部分と、複数の前記羽根とは、同時に重ならない構成としてもよい。
【００２０】
これにより、第１のガード部と前記第２のガード部との接触部分が複数の前記羽根とは、同時に重ならないことによって、Ｎｚ音の音圧を軽減するという効果を奏する。
【００２１】
以下、本発明の実施の形態について図面を参照しながら説明する。
【００２２】
（実施の形態）
図１は、本発明の実施の形態の扇風機の概要を示す図である。
【００２３】
図１に示すように、扇風機はスタンド部１と、スタンド部の上部に設けたモータ部２と、モータ部により回転する羽根部３と、羽根部３を覆うガードユニット４で構成されており、床や壁などに設置される。
【００２４】
図２は、本発明の実施の形態の扇風機のガードユニットを示す斜視図であり、第１のガード部と第２のガード部とが開いた状態である。図３は、本発明の実施の形態の扇風機のガードユニットを示す斜視図であり、第１のガード部と第２のガード部とが閉じた状態である。
【００２５】
図１、図２、図３に示すように、ガードユニット４は、第１のガード部５と、第２のガード部６と、連結固定部７とを備えている。
【００２６】
第１のガード部５は、第１の曲線棒５Ａと、第１の円弧棒５Ｂと、第１の前面連結部分５Ｃと、第１の背面連結部分５Ｄとを有している。
【００２７】
第１の曲線棒５Ａは、複数のＵ字形状の棒である。複数の第１の曲線棒５Ａにおける両端は、円柱の側面上に、第１の曲線棒５Ａにおける両端を結ぶ線分方向が、円柱の中心軸方向となるように等間隔で配置されている。複数の第１の曲線棒５Ａの頂点は、結ぶと円弧形状となるように、配置されている。
【００２８】
第１の円弧棒５Ｂは、複数の円弧形状の棒である。２本の第１の円弧棒５Ｂは、複数の第１の曲線棒５Ａの頂点の近傍を連結している。２本の第１の円弧棒５Ｂは、複数の第１の曲線棒５Ａの頂点を結ぶ円弧と平行に配置されている。
【００２９】
第１の前面連結部分５Ｃは、円弧形状の板形状であり、複数の第１の曲線棒５Ａの一方側端部（扇風機における前面側）を連結する。
【００３０】
第１の背面連結部分５Ｄは、円弧形状の板形状であり、複数の第１の曲線棒５Ａの他方側端部（扇風機における背面側）を連結する。
【００３１】
以上の構成において、第１のガード部５の外観を扇風機の正面側からモータ部２の回転軸方向に見ると、上下方向に直径が延び、円弧がモータ部２の回転軸より左側に膨らんだ半円形状である。第１のガード部５の外観をモータ部２の回転軸に対して垂直な方向から見ると、略長丸形状である。なお、複数の第１の曲線棒５Ａと、第１の円弧棒５Ｂと、第１の前面連結部分５Ｃと、第１の背面連結部分５Ｄとは樹脂材料によって一体に形成している。
【００３２】
第２のガード部６は、第１のガード部５の鏡像体である。第２のガード部６は、第２の曲線棒６Ａと、第２の円弧棒６Ｂと、第２の前面連結部分６Ｃと、第２の背面連結部分６Ｄとを有している。
【００３３】
第２の曲線棒６Ａは、複数のＵ字形状の棒である。複数の第２の曲線棒６Ａにおける両端は、円柱の側面上に、第２の曲線棒６Ａにおける両端を結ぶ線分方向が、円柱の中心軸方向となるように等間隔で配置されている。複数の第２の曲線棒６Ａの頂点は、結ぶと円弧形状となるように、配置されている。
【００３４】
第２の円弧棒６Ｂは、複数の円弧形状の棒である。２本の第２の円弧棒６Ｂは、複数の第２の曲線棒６Ａの頂点の近傍を連結している。２本の第２の円弧棒６Ｂは、複数の第２の曲線棒６Ａの頂点を結ぶ円弧と平行に配置されている。
【００３５】
第２の前面連結部分６Ｃは、円弧形状の板形状であり、複数の第２の曲線棒６Ａの一方側端部（扇風機における前面側）を連結する。
【００３６】
第２の背面連結部分６Ｄは、円弧形状の板形状であり、複数の第２の曲線棒６Ａの他方側端部（扇風機における背面側）を連結する。
【００３７】
以上の構成において、第２のガード部６の外観を扇風機の正面側からモータ部２の回転軸方向に見ると、上下方向に直径が延び、円弧がモータ部２の回転軸より左側に膨らんだ半円形状である。第２のガード部６の外観をモータ部２の回転軸に対して垂直な方向から見ると、略長丸形状である。なお、複数の第２の曲線棒６Ａと、第２の円弧棒６Ｂと、第２の前面連結部分６Ｃと、第２の背面連結部分６Ｄとは樹脂材料によって一体に形成している。
【００３８】
連結固定部７は、第１のガード部５と第２のガード部６とを開閉可能に支持し、第１のガード部５と第２のガード部６とをモータ部に固定可能な構成である。連結固定部７は、連結部分８と、固定部分９とを備えている。
【００３９】
図４は、本発明の実施の形態の扇風機の連結部分を示す斜視図である。図５は、本発明の実施の形態の扇風機のガードユニットと連結部分を示す斜視図である。
【００４０】
図４、図５に示すように、連結部分８は、第１のガード部５と第２のガード部６とを開閉可能に支持する構成である。連結部分８は、ツメかけ８Ａと、連結円板８Ｂと、連結ツメ８Ｃとを備えている。
【００４１】
ツメかけ８Ａは、第１のガード部５の第１の前面連結部分５Ｃと、第２のガード部６の第２の前面連結部分６Ｃとに設けた２つ孔である。ツメかけ８Ａは、第１の前面連結部分５Ｃにおける頂点近傍と、第２の前面連結部分６Ｃにおける頂点近傍とに配置されている。２つの孔であるツメかけ８Ａに、連結ツメ８Ｃが嵌る。
【００４２】
連結円板８Ｂは、円板形状で、樹脂材料で形成し、中央に上下方向に延びるヒンジ機構１２を有している。ヒンジ機構１２は、連結円板８Ｂにおける扇風機の正面側の面に配置された溝形状である。連結円板８Ｂは、連結円板８Ｂにおけるモータ部２の回転軸に対向した面には、２つの連結ツメ８Ｃが配置されている。
【００４３】
連結ツメ８Ｃは、連結円板８Ｂにおけるモータ部２の回転軸に対向した面からモータ部２側へ延びた突起８Ｄと、突起の先端からモータ部２の回転軸方向に延びた爪８Ｅである。ツメかけ８Ａに、連結ツメ８Ｃを入れると、連結ツメ８Ｃの爪８Ｅが連結ツメ８Ｃの孔の縁に引っ掛かる。
【００４４】
以上の構成において、ガードユニット４の組み立て方法について説明する。
【００４５】
第１のガード部５と第２のガード部６の前面部に連結部分８の連結ツメ８Ｃをはめ、ガードユニット４とする。具体的には、第１のガード部５と第２のガード部６とを合わせ、円形状にし、第１のガード部５の第１の前面連結部分５Ｃと第２のガード部６の第２の前面連結部分６Ｃとに設けた２つ孔であるツメかけ８Ａに、連結円板８Ｂから延びた２本の連結ツメ８Ｃを嵌めると、第１のガード部５と第２のガード部６とが、連結円板８Ｂに係合する。第１のガード部５と第２のガード部６とが、連結円板８Ｂのヒンジ機構１２によって、開閉可能な構成となる。
【００４６】
図６は、本発明の実施の形態の扇風機のガードユニットと固定部分を示す斜視図である。図７は、本発明の実施の形態の扇風機の係合部材を示す正面図である。
【００４７】
図６、図７に示すように、固定部分９は、第１のガード部５と第２のガード部６とをモータ部に固定可能な構成である。固定部分９は、複数の引っ掛け突起９Ａと、係合部材９Ｂと、スリット１０とを有する。
【００４８】
引っ掛け突起９Ａは、第１のガード部５の第１の背面連結部分５Ｄと、第２のガード部６の第２の背面連結部分６Ｄからモータ部２側へ延びた突起９Ｃ、突起９Ｃの先端からモータ部２の回転軸方向に延びた爪９Ｄである。引っ掛け突起９Ａは、係合部材９Ｂのスリット１０に係合する。
【００４９】
係合部材９Ｂは、円環板形状で、モータ部２におけるガードユニット４側に、係合部材９Ｂの中心軸がモータ部２の回転軸と同軸上にネジなどで係合されている。係合部材９Ｂは、スリット１０を有している。
【００５０】
スリット１０は、２本の円弧形状の円弧スリット１０Ａと、水平方向に延びた２本の直線形状の水平スリット１０Ｂとを有している。
【００５１】
２本の円弧形状の円弧スリット１０Ａは、円弧スリット１０Ａを伸ばすと係合部材９Ｂの中心軸が中心となる円となる位置に、係合部材９Ｂの中心軸に対して点対象になるように配置されている。
【００５２】
２本の水平スリット１０Ｂは、２本の円弧スリット１０Ａの扇風機の正面から見て時計回転方向における上流側端部から外方に延びている。水平スリット１０Ｂの幅寸法（上下方向の寸法）は、円弧スリット１０Ａの幅寸法（係合部材９Ｂの直径方向の寸法）より大きい。
【００５３】
以上の構成において、ガードユニット４をモータ部２に取り付ける方法について説明する。
【００５４】
まず、ガードユニット４の複数の引っ掛け突起９Ａをモータ部２に固定されてある係合部材９Ｂに備えられた水平スリット１０Ｂに差し込む。
【００５５】
次に、スリット１０の方向へ扇風機の正面から見て時計回転方向にガードユニット４を回転させ、複数の引っ掛け突起９Ａをスリット１０の円弧スリット１０Ａに引っ掛ける。これにより、ガードユニット４はモータ部２に取り付いた状態になる。
【００５６】
図１、図２、図６、図７に示すように、本実施形態における特徴は、モータ部の軸方向に対して垂直方向における一方側（図１では左側）の第１のガード部５と、モータ部の軸方向に対して垂直方向における他方側（図１では右側）の第２のガード部６と、第１のガード部５と第２のガード部６とを開閉可能に支持し、第１のガード部５と第２のガード部６とをモータ部２に固定可能な連結固定部７とを備えた点である。具体的には、連結固定部７は、第１のガード部５と第２のガード部６とを開閉自在に連結する連結部分８と、第１のガード部５と第２のガード部６とをモータ部２に固定する固定部分９とを有する構成としてもよい。
【００５７】
これにより、連結部分８を支点として第１のガード部５と第２のガード部６が自由に開閉でき、
固定部分９によって、第１のガード部５と第２のガード部６とをモータ部２に固定するため、従来のようにガードリングやガードクリップを使用して複数のガードを固定しなくてよくなり、固定箇所が２箇所から１箇所になり、ガードユニット４の取付けや取外しをより簡易にすることができる。また、寸法のばらつきによる取付荷重の増加の影響を小にすることができる。
【００５８】
図１、図２、図４に示すように、連結部分８は、第１のガード部５と第２のガード部６の前面側に配置され、第１のガード部５と第２のガード部６との間にヒンジ機構１２を備えた構成としてもよい。
【００５９】
これにより、ヒンジ機構１２を支点としてガードを開閉自在にすることで、取り外しに荷重をかけることで係合と解除を行う構造ではなくなるため、ガードユニット４の取り外し方法をより簡易にすることができるという効果を奏する。
【００６０】
図２、図６、図７に示すように、固定部分９は、第１のガード部５と第２のガード部６との背面から延びた複数の引っ掛け突起９Ａと、引っ掛け突起９Ａが引っ掛かるスリット１０を有し、モータ部２に固定された係合部材９Ｂとを有した構成としてもよい。
【００６１】
これにより、第１のガード部５と第２のガード部６との背面から延びた複数の引っ掛け突起９Ａによって、ガードユニット４をスライド回転させるだけで、ガードナットなしでガードユニット４をモータ部２へ取り付けることが可能になり、ガードユニット４の取り外し方法をより簡易にすることができるという効果を奏する。
【００６２】
図１、図２に示すように、羽根部３は複数の羽根３Ａを有し、ガードユニット４における前面側から見ると、第１のガード部５と第２のガード部６との接触部分１１と、複数の羽根３Ａとは、同時に重ならない構成としてもよい。
【００６３】
これにより、第１のガード部５と第２のガード部６との接触部分１１が複数の羽根３Ａとは、同時に重ならないことによって、羽根３Ａが回転時に接触部分１１と近接する際に発生する音が同時に全箇所でなることを防ぎ、Ｎｚ音の音圧を軽減するという効果を奏する。
【産業上の利用可能性】
【００６４】
本発明は家庭用や事務所用などの扇風機として有用である。
【符号の説明】
【００６５】
１    スタンド部
２    モータ部
３    羽根部
３Ａ    羽根
４    ガードユニット
５    第１のガード部
５Ａ    第１の曲線棒
５Ｂ    第１の円弧棒
５Ｃ    第１の前面連結部分
５Ｄ    第１の背面連結部分
６    第２のガード部
６Ａ    第２の曲線棒
６Ｂ    第２の円弧棒
６Ｃ    第２の前面連結部分
６Ｄ    第２の背面連結部分
７    連結固定部
８    連結部分
８Ａ    ツメかけ
８Ｂ    連結円板
８Ｃ    連結ツメ
８Ｄ    突起
８Ｅ    爪
９    固定部分
９Ａ    引っ掛け突起
９Ｂ    係合部材
９Ｃ    突起
９Ｄ    爪
１０    スリット
１０Ａ    円弧スリット
１０Ｂ    水平スリット
１１    接触部分
１２    ヒンジ機構
【図１】
2020002855.tif 000003
【図２】
2020002855.tif 000004
【図３】
2020002855.tif 000005
【図４】
2020002855.tif 000006
【図５】
2020002855.tif 000007
【図６】
2020002855.tif 000008
【図７】
2020002855.tif 000009